(57)【要約】  【課題】  枠体の連結部と離隔した位置と、枠体の連結部とを吊下げることができ、しかも、枠体を被掛止体と反対方向へ屈曲させることができる物干具を提供する。  【解決手段】  ２つの半枠部材１２，１２が屈曲可能に連結された連結部１１を有する枠体１と、該枠体１の複数の周方向位置を吊下げる吊下杆２，２と、該吊下杆２，２を枠体１の中央側で連結する第１の連結体３と、該連結体３を枠体１の連結部１１に連結する第２の連結体４と、第２の連結体４に枢支される被掛止体５とを備えており、第２の連結体４を、連結部１１に枢支された第１の揺動部材４１と、第１の連結体３に枢支された第２の揺動部材４２と、第１及び第２の揺動部材４１，４２をそれぞれ独立して揺動可能に連結する連結部材４３とを備える構成とし、枠体１を被掛止体５と反対側へ屈曲可能とした。【選択図】      図１
2006043006.tif 000002
【特許請求の範囲】
【請求項１】
複数の吊部材を有する２つの半枠部材が屈曲可能に連結された連結部を有する枠体と、該枠体の複数の周方向位置を吊下げる複数の吊下杆と、該複数の吊下杆を前記枠体の中央側で連結する第１の連結体と、該第１の連結体を前記枠体の連結部に連結する第２の連結体と、第１又は第２の連結体に枢支され、適宜部材に掛止される被掛止体とを備えた物干具において、第２の連結体は前記連結部に枢支された第１の揺動部材と、第１の連結体に枢支された第２の揺動部材と、第１及び第２の揺動部材をそれぞれ独立して揺動可能に連結する連結部材とを備えており、前記枠体は前記被掛止体と反対側へ屈曲可能としてあることを特徴とする物干具。
【請求項２】
前記枠体は前記連結部を有する２つの桟部材を備える請求項１記載の物干具。
【発明の詳細な説明】
【技術分野】
【０００１】
本発明は洗濯物等の被吊物を吊下げる複数の吊部材を有する物干具に関する。
【背景技術】
【０００２】
洗濯物等を吊下げるための物干具は、複数の吊部材を有し、連結部を中心として屈曲可能な矩形の枠体と、該枠体の四角近傍部を吊下げるチェン等の複数の吊下杆と、該吊下杆を枠体の中央側で連結する第１の連結体と、第１の連結体を前記枠体の連結部に連結する第２の連結体と、第２の連結体に枢支され、竿部材に掛止されるフックとを備えており、非使用時には枠体をフック側へ屈曲し、フックを倒伏させるように構成されている（例えば、特許文献１。）。
【０００３】
また、複数の吊部材を有し、連結部を中心として屈曲可能な矩形の枠体と、該枠体の四角近傍部を吊下げるチェン等の複数の吊下杆と、該吊下杆を枠体の中央側で連結する連結体と、該連結体に枢支され、竿部材に掛止されるフックとを備えており、非使用時には枠体をフックと反対側へ屈曲し、フックを倒伏させるように構成された物干具も知られている。
【特許文献１】特開平９−２７１５９８号公報
【発明の開示】
【発明が解決しようとする課題】
【０００４】
ところが、特許文献１のように枠体の四角近傍部と、枠体の連結部（中央部）とを吊下げるように構成された物干具にあっては、非使用時に枠体をフックと反対側へ屈曲することができないため、枠体に設けられている複数の吊部材が非使用時に枠体の外側へ配置されることになり、吊部材が邪魔になるという問題があり、また、非使用時に枠体をフック側へ屈曲させただけでは枠体が自重により展開するため、屈曲させた状態でさらにフック側が下方となるように全体を反転させる必要があり、操作回数が多いと言う問題もあった。
【０００５】
また、枠体の四角近傍部だけを吊下げるように構成された物干具にあっては、枠体の中央側に多くの洗濯物が吊下げられたり、枠体の中央側に比較的重い洗濯物が吊下げられたりした場合、枠体が撓み、洗濯物の重量に耐えることができないという問題があった。
【０００６】
本発明は斯かる事情に鑑みてなされたものであり、主たる目的は枠体の複数の周方向位置を吊下げる吊下杆を枠体の中央部で連結する第１の連結体を枠体の連結部に連結する第２の連結体を、前記連結部に枢支された第１の揺動部材と、第１の連結体に枢支された第２の揺動部材と、第１及び第２の揺動部材をそれぞれ独立して揺動可能に連結する連結部材とを備える構成とすることにより、枠体の連結部と離隔した位置と、枠体の連結部とを吊下げることができ、しかも、枠体を被掛止体と反対方向へ屈曲させることができる物干具を提供する点にある。
【０００７】
また、他の目的は連結部を有する２つの桟部材を前記枠体が備える構成とすることにより、枠体の中央部での剛性を高めることができる物干具を提供する点にある。
【課題を解決するための手段】
【０００８】
第１発明に係る物干具は、複数の吊部材を有する２つの半枠部材が屈曲可能に連結された連結部を有する枠体と、該枠体の複数の周方向位置を吊下げる複数の吊下杆と、該複数の吊下杆を前記枠体の中央側で連結する第１の連結体と、該第１の連結体を前記枠体の連結部に連結する第２の連結体と、第１又は第２の連結体に枢支され、適宜部材に掛止される被掛止体とを備えた物干具において、第２の連結体は前記連結部に枢支された第１の揺動部材と、第１の連結体に枢支された第２の揺動部材と、第１及び第２の揺動部材をそれぞれ独立して揺動可能に連結する連結部材とを備えており、前記枠体は前記被掛止体と反対側へ屈曲可能としてあることを特徴とする。
【０００９】
第１発明にあっては、非使用時の枠体を矩形に展開し、被掛止体を枠体の上方へ引張ることにより、第１の連結体が枠体の上方へ離隔し、第１の連結体に連結されている吊下杆が枠体に対して斜め上方へ傾斜し、さらに、第１及び第２の揺動部材と、連結部材とは上下方向へ直線的となるように揺動する。従って、枠体の連結部と離隔した位置と、枠体の連結部とを吊下げることができる。
また、非使用時には、枠体を被掛止体と反対方向へ屈曲することにより吊下杆を介して第１の連結体が枠体と接近しつつ第１及び第２の揺動部材と連結部材とがそれぞれ下方側へ揺動し、枠体を２つ折りに屈曲することができ、この状態で被掛止体を枠体側へ揺動させることにより、枠体に対する出っ張り量を低減でき、全体をコンパクトにできる。
【００１０】
第２発明に係る物干具は、前記枠体は前記連結部を有する２つの桟部材を備えることを特徴とする。
【００１１】
第２発明にあっては、桟部材の連結部に第１の揺動部材を枢支することができるため、枠体の中央部での剛性を高めることができる。
【発明の効果】
【００１２】
第１発明によれば、吊下杆と第１及び第２の連結体とにより、枠体の連結部と離隔した位置、及び枠体の連結部を吊下げることができ、しかも、第２の連結体を構成する第１及び第２の揺動部材と連結部材とにより、枠体を被掛止体と反対方向へ屈曲することができ、吊部材及び被掛止体の枠体に対する出っ張り量を低減でき、全体をコンパクトにできる。
【００１３】
第２発明によれば、桟部材の連結部に第１の揺動部材を枢支することができ、枠体の中央部での剛性を高めることができる。
【発明を実施するための最良の形態】
【００１４】
以下、本発明をその実施の形態を示す図面に基づいて詳述する。図１は物干具の構成を示す展開した状態の斜視図、図２は展開した状態の要部の拡大斜視図、図３は非使用時の斜視図、図４は枠体だけを屈曲した状態を示す斜視図、図５は枠体だけを屈曲した状態を示す要部の拡大斜視図、図６は枠体を屈曲する過程の状態を示す要部の拡大斜視図である。
【００１５】
物干具は、２つの半枠部材が屈曲可能に連結された連結部を有する矩形の枠体１と、該枠体１の四角近傍に掛止された２つの吊下杆２，２と、該吊下杆２，２の湾曲部を枠体１の中央側で連結する第１の連結体３と、第１の連結体３を枠体１の連結部１１に連結する第２の連結体４と、第１の連結体３に枢支する被掛止体５とを備える。
【００１６】
枠体１は、略コ字形の２つの半枠部材１２，１２と、該半枠部材１２，１２の開放端の近傍に架設され、半枠部材１２，１２の開放端部１２ａ，１２ａと対向する２つの連結片１３ａ，１３ａを有する桟部材１３，１３とを備えており、開放端部１２ａ，１２ａ同士及び連結片１３ａ，１３ａ同士が屈曲可能に連結された４つの連結部１１を有する。また、半枠部材１２，１２及び桟部材１３，１３には洗濯物等の被吊物を吊下げる複数の吊部材６が吊設されており、また、半枠部材１２，１２の２つの曲がり部近傍には係止孔１２ｂ，１２ｂが穿設されており、桟部材１３，１３の２つの連結部１１，１１には係止孔１３ｂ，１３ｂが穿設されている。
【００１７】
吊下杆２，２は略Ｕ字形に湾曲し、両端に係止片２１，２１を有するロッドからなり、係止片２１，２１が半枠部材１２，１２の係止孔１２ｂ，１２ｂに回動可能に係止されている。
【００１８】
第１の連結体３は略凸形をなしており、凸部には枢軸３１，３１を介して継体７が枢支されており、凸部の両側には長孔３２，３２が穿設されており、この長孔３２，３２間に係止孔３３が穿設されている。そして、長孔３２，３２に吊下杆２，２の湾曲部が回動可能に挿入されている。
【００１９】
継体７は略凹形をなしており、凹部の両側の凸片に穿設された嵌合孔７１に枢軸３１，３１が嵌合されており、凹部の中央部に穿設された嵌合孔７２に被掛止体５が回動可能に嵌合されている。
【００２０】
第２の連結体４は連結部１１，１１の係止孔１３ｂ，１３ｂに枢支された第１の揺動部材４１と、第１の連結体３の係止孔３３に枢支された第２の揺動部材４２と、第１及び第２の揺動部材４１，４２をそれぞれ独立して揺動可能に連結する連結部材４３とを備えている。
【００２１】
第１及び第２の揺動部材４１，４２は略Ｕ字形に湾曲し、両端に係止片４１ａ，４２ａを有するロッドからなり、第１の揺動部材４１の係止片４１ａが係止孔１３ｂ，１３ｂに枢支されており、第２の揺動部材４２の係止片４２ａが係止孔３３に枢支されている。
【００２２】
連結部材４３は２つの貫通孔４３ａ，４３ｂが平行的に穿設された板体からなり、一方の貫通孔４３ａに第１の揺動部材４１の中央部が遊嵌されており、他方の貫通孔４３ｂに第２の揺動部材４２の中央部が遊嵌されている。
【００２３】
被掛止体５は一端部が継体７の嵌合孔７２に嵌合され、他端側に摘み片５１ａを有する挾持部５１が設けられており、摘み片５１ａを把持することにより挾持部５１を開閉させることができるように構成されている。
【００２４】
以上のように構成された物干具は、非使用時に枠体１が被掛止体５と反対側へ屈曲され、被掛止体５が倒伏している（図３参照）。洗濯物等の被吊物を吊下げて物干しする場合、連結部１１を中心として枠体１を横方向へ展開し、被掛止体５を第１の連結体３に対して揺動させつつ起立させ、該被掛止体５を枠体１の上方へ引張ることにより、第１の連結体３が枠体１の上方へ離隔し、第１の連結体３の長孔３２，３２に連結されている吊下杆２，２が枠体１に対して斜め上方へ傾斜し、さらに、第１及び第２の揺動部材４１，４２が上方へ揺動し、第１及び第２の揺動部材４１，４２と連結部材４３とが上下方向へ直線的となり、枠体１の連結部１１と離隔した四角部近傍と、枠体１の連結部１１とを吊下げることができる（図１参照）。この状態で被掛止体５は継体７に対して自由に回動させることができる。
【００２５】
非使用時には、図１のように展開された枠体１を被掛止体５と反対方向へ屈曲することにより吊下杆２，２を介して第１の連結体３が枠体１と接近しつつ第１及び第２の揺動部材と連結部材とがそれぞれ下方へ揺動し、枠体１を被掛止体５と反対側へ２つ折りに屈曲することができ、この状態で被掛止体５を継体７とともに枠体１側へ揺動させ、さらに、被掛止体５を継体７に対して回動させることにより、被掛止体５の枠体１に対する出っ張り量を低減でき、全体をコンパクトにできる。
【図面の簡単な説明】
【００２６】
【図１】本発明に係る物干具の構成を示す展開した状態の斜視図である。
【図２】本発明に係る物干具の展開した状態の要部の拡大斜視図である。
【図３】本発明に係る物干具の非使用時の斜視図である。
【図４】本発明に係る物干具の枠体だけを屈曲した状態を示す斜視図である。
【図５】本発明に係る物干具の枠体だけを屈曲した状態を示す要部の拡大斜視図である。
【図６】本発明に係る物干具の枠体を屈曲する過程の状態を示す要部の拡大斜視図である。
【符号の説明】
【００２７】
１    枠体
１１  連結部
１２  半枠部材
１３  桟部材
２    吊下杆
３    第１の連結体
４    第２の連結体
４１  第１の揺動部材
４２  第２の揺動部材
４３  連結部材
５    被掛止体
６    吊部材
【図１】
2006043006.tif 000003
【図２】
2006043006.tif 000004
【図３】
2006043006.tif 000005
【図４】
2006043006.tif 000006
【図５】
2006043006.tif 000007
【図６】
2006043006.tif 000008